(57)【要約】      （修正有）【課題】液晶を搭載した操作パネルにおいて、静電気の印加による液晶表示部の誤動作を防ぐ事を目的とする。【解決手段】液晶モジュール２を搭載した操作パネルにおいて、操作パネルの外装と、操作パネルの各種電子部品を実装したプリント基板１と、外装とプリント基板の間に配置した電子部品を覆うシールド部材１１と、液晶モジュール２および液晶ドライバICの周囲に静電気の印加に伴う電流が流れ難い様にシールド部材１１の一部にスリット１９を入れた操作パネルのシールド構造。【選択図】  図２
2007027397.tif 000002
【特許請求の範囲】
【請求項１】
液晶モジュールを含む各種電子部品を搭載したプリント基板と、
前記電子部品およびプリント基板の周囲を覆う装置本体のフレームアースに接続された金属筐体と、
前記金属筐体の一部のインピーダンスを高くして電流を規制する電流規制手段と、
を設け、前記電流規制手段により特定の電子部品周囲に電流を流れ難くした事を特徴とする操作パネルのシールド構造。
【発明の詳細な説明】
【技術分野】
【０００１】
本発明は、外部から印加される静電気から操作パネルを保護するためのシールド構造に関するものである。
【背景技術】
【０００２】
従来、操作パネルは、液晶、ＬＥＤ等の表示手段と、タクトスイッチ等の操作手段と、を搭載した操作パネル基板と、操作パネルの外装と、操作パネル基板と外装の間に配置される金属筐体で構成され、金属筐体をＧＮＤと接続して静電シールドを構成している。（例えば、特許文献１参照。）
【特許文献１】特開２００１−６８８６３号公報
【発明の開示】
【発明が解決しようとする課題】
【０００３】
しかしながら、上記従来例では、外部から金属筐体に静電気が印加され場合に、金属筐体近傍に電子部品が配置されていると、電磁誘導ノイズにより電子部品が誤動作するため、金属筐体と電子部品との間を近づける事が難しかった。
【０００４】
また、近年、液晶のガラスと同一面に液晶ドライバＩＣをCOG(Chip On Glass)実装した液晶モジュールが使用される様になり、液晶モジュール上の液晶ドライバＩＣと金属筐体の間の空間を広げる事が難しくなっていた。
【０００５】
本出願に係る発明の目的は、金属筐体で構成したシールド板に静電気が印加された場合に、静電気の印加電流により誘起される電磁誘導ノイズを液晶表示部の周囲に発生させない事である。
【課題を解決するための手段】
【０００６】
上記目的を達成するため、本出願に係る発明は、液晶モジュールを含む各種電子部品を搭載したプリント基板と、前記電子部品およびプリント基板の周囲を覆う装置本体のフレームアースに接続された金属筐体と、前記金属筐体の一部のインピーダンスを高くして電流を規制する電流規制手段と、を設け、前記電流規制手段により特定の電子部品周囲に電流を流れ難くした事を特徴とする。
【発明の効果】
【０００７】
以上説明したように、本発明によれば、シールド板の一部のインピーダンスを高くすることで液晶表示部の周辺に電流が流れ難くい構成とする事で、静電気の印加電流による電磁誘導で発生する液晶表示部の誤動作を防止できる。
【発明を実施するための最良の形態】
【０００８】
（実施例１）
図１および図２は本発明の特徴を最もよく表す図画であり、同図において１は操作パネルのプリント基板、２は液晶表示モジュール、３は液晶表示モジュール２に内蔵された液晶駆動ドライバＩＣで、液晶モジュールのガラス上に実装され、透明電極で各画素の液晶等と接続される。４は液晶表示モジュール２の表示エリア、５ａ, ５ｂは点／消灯する事で状態を表示するＬＥＤ、６a, ６ｂ, ６c, ６ｄはプッシュスイッチ（以下ＳＷと記す）、７，８はプリント基板１を取り付けるための取り付け穴、９はコネクタで図示しない制御部との間で操作パネルインタフェース信号束線が接続される。操作パネルインタフェース信号束線は、液晶表示モジュール２の制御信号と、ＬＥＤ５の駆動信号と、ＳＷ６の検出信号と、電源とから構成される。１０は操作パネルの外装、１１は図示しない装置本体のフレームグランドと同電位の金属で、操作パネル上の各部品の周囲を囲っているシールド板金、１２，１３はシールド板金１１と板ばね１４，１５とプリント基板１を止めるビス、板ばね１４，１５は図示しない本体に操作パネルを取り付けた時に、本体のフレームグランドに接触し、シールド板金１１のグランド経路となる。１６a，１６ｂはライトガイドで、ＬＥＤ５の光を集光する。１７a，１７ｂ，１７c，１７d，はＳＷ６を押すスイッチガイドボタン、１８は液晶表示モジュール２の表示エリア４を覆う透明の保護シート、１９は液晶表示モジュール２の液晶駆動ドライバＩＣ３周辺を覆うシールド板金１１に開けられたスリットである。
【０００９】
操作パネルは、図２に示す様に外装１０の下にフレームグランドと同電位のシールド板金１１を設け、シールド板金１１で覆われる様にプリント基板１を配置している。この様な構成において、液晶モジュール２の表示エリア４上は保護シート１８で覆われており、外部から静電気が印加されないものの、ライトガイド１６周囲やスイッチガイドボタン１７周囲には外装１０との間に隙間が出来るため、外部から静電気が印加される可能性がある。
【００１０】
ライトガイド１６ｂ部分に静電気ノイズＮ１が印加された場合、静電気ノイズＮ１によって発生した瞬時電流Ｉ１は、インピーダンスの高いスリット１９部分を避けて、主に矢印Ｉ１で示したフレームグランドに接続された板ばね１４方向へ流れる。
【００１１】
また、スイッチガイドボタン１７ｂ部分に静電気ノイズＮ２が印加された場合、静電気ノイズＮ２によって発生した瞬時電流Ｉ２は、インピーダンスの高いスリット１９部分を避けて、主に矢印Ｉ２で示したフレームグランドに接続された板ばね１５方向へ流れる。
【００１２】
以上説明したように、液晶駆動ドライバＩＣ３周辺を覆うシールド板金１１にスリットを設ける事で、液晶駆動ドライバＩＣ３の上面を覆うシールド板金に静電気ノイズによって発生した瞬時電流が流れ難くなるため、電流により誘起される電磁誘導ノイズで液晶駆動ドライバＩＣ３が誤動作する事を防ぐ効果がある。
【００１３】
（実施例２）
図3は本発明の第２の実施例を表す図であり、同図において、第１の実施例と同様の物には同じ符号を付けてその説明は省略する。
【００１４】
同図において、２０は図示しない装置本体のフレームグランドと同電位の金属で、操作パネル上の各部品の周囲を囲っているシールド板金、２１はシールド板金２０の液晶駆動ドライバＩＣ３周辺とＬＥＤ１６周辺との間を分離する切り込み、２２はシールド板金２０の液晶駆動ドライバＩＣ３周辺とＳＷ６ａ，６ｂ周辺との間を分離する切り込みである。
【００１５】
この様な構成において、液晶モジュール２の表示エリア４上は保護シート１８で覆われており、外部から静電気が印加されないものの、ライトガイド１６周囲やスイッチガイドボタン１７周囲には外装１０との間に隙間が出来るため、外部から静電気が印加される可能性がある。
【００１６】
ライトガイド１６ｂ部分に静電気ノイズＮ３が印加された場合、静電気ノイズＮ３によって発生した瞬時電流Ｉ３は、切り込み２１部分には流れないため、主に矢印Ｉ３で示したフレームグランドに接続された板ばね１４方向へ流れる。
【００１７】
また、スイッチガイドボタン１７ｂ部分に静電気ノイズＮ４が印加された場合、静電気ノイズＮ４によって発生した瞬時電流Ｉ４は、切り込み２２部分には流れないため、主に矢印Ｉ４で示したフレームグランドに接続された板ばね１５方向へ流れる。
【００１８】
以上説明したように、シールド板金１１に液晶駆動ドライバＩＣ３周辺を覆う部分と静電気が印加されやすい部分との間に切り込みを設ける事で、液晶駆動ドライバＩＣ３の上面を覆うシールド板金に静電気ノイズによって発生した瞬時電流が流れ難くなるため、電流により誘起される電磁誘導ノイズで液晶駆動ドライバＩＣ３が誤動作する事を防ぐ効果がある。
【００１９】
（実施例３）
図４は本発明の第３の実施例を表す図であり、同図において、第１の実施例と同様の物には同じ符号を付けてその説明は省略する。
【００２０】
同図において、２３は図示しない装置本体のフレームグランドと同電位の金属で、操作パネル上の各部品の周囲を囲っているシールド板金、２４はシールド板金２３の液晶駆動ドライバＩＣ３周辺とＳＷ６ａ，６ｂ周辺との間を分離する切り込み、２５は重ね合わせて液晶駆動ドライバＩＣ３周辺を２重にシールドする部分で、２重に重ねた上側に静電気が印加されても、切り込み２４で分離されているため下側のシールドに瞬時電流は流れない。２６は重ね合せ部分を作るための折り曲げ位置である。
【００２１】
なお、第１および第２の実施例では、外部から印加される静電気に対して放電が発生しない沿面距離となるサイズに表示エリア４の保護シート１８を構成していた。
【００２２】
本実施例では、保護シート１８を放電が発生しないサイズまで大きくする事ができない構成となっており、表示エリア４近傍から静電気が印加される可能性がある。
【００２３】
この様な構成において、表示エリア４部分に静電気ノイズＮ５が印加された場合、静電気ノイズＮ５によって発生した瞬時電流Ｉ５は、切り込み２４部分には流れないため、主に矢印Ｉ５で示したフレームグランドに接続された板ばね１５方向へ流れる。
【００２４】
以上説明したように、シールド板金１１の液晶駆動ドライバＩＣ３周辺を覆う部分を重ね合せ構成とし、かつ、重ね合せ部分に流れる電流を規制する事で、液晶駆動ドライバＩＣ３を覆うシールド板金の上側に静電気ノイズによって発生した瞬時電流が流れても、下面側に電流は流れないため、電流により誘起される電磁誘導ノイズで液晶駆動ドライバＩＣ３が誤動作する事を防ぐ効果がある。
【００２５】
また、重ね合せ部分と電流規制部分を組み合わせる事で、静電気の印加で放電が発生しない規制を必要とする部分を少なくする事が可能となる。
【図面の簡単な説明】
【００２６】
【図１】本発明の第１の実施例に係る操作パネルの構成を説明する構成図である。
【図２】本発明の第１の実施例に係るシールド構成を説明する構成図である。
【図３】本発明の第２の実施例に係るシールド構成を説明する構成図である。
【図４】本発明の第３の実施例に係るシールド構成を説明する構成図である。
【符号の説明】
【００２７】
１  プリント基板
２  液晶モジュール
３  液晶ドライバ
１１  シールド板金
１９  スリット
【図１】
2007027397.tif 000003
【図２】
2007027397.tif 000004
【図３】
2007027397.tif 000005
【図４】
2007027397.tif 000006